(57)【要約】【課題】  簡単な構成で自動ドアからの不法侵入を防止するとともに、スムーズな通行および通行人の安全確保を図り、さらに新規の設置工事や既存の自動ドアセンサとの置換作業などが極めて容易で、しかも安価な自動ドアセンサ、および自動ドアの開閉制御方法を提供する。【解決手段】  自動ドア５近傍の通行人６を検出するドア近傍検出エリアＡ１２と、自動ドア５から離れた通行人６を検出するドア遠方検出エリアＡ１１とを形成するエリアセンサと、自動ドア５が閉じていると判断される時にドア遠方検出エリアＡ１１のみを有効とし、ドア遠方検出エリアＡ１１で通行人６が検出された時にドア開放信号を出力するとともにドア近傍検出エリアＡ１２を有効とし、ドア遠方検出エリアＡ１１およびドア近傍検出エリアＡ１２の少なくとも一方で通行人６が検出されている間はドア開放信号を出力している状態を維持する制御手段とを備える。【選択図】  図２ 
2005232915.tif 000002
【特許請求の範囲】
【請求項１】
自動ドアの開閉を制御するドア開放信号およびドア閉鎖信号を出力可能な自動ドアセンサであって、
前記自動ドアから離れた人体または物体を検出するドア遠方検出エリアを形成する第１エリアセンサと、
前記自動ドア近傍の人体または物体を検出するドア近傍検出エリアを形成する第２エリアセンサと、
前記自動ドアが閉じていると判断される時に前記ドア遠方検出エリアのみを有効とし、前記ドア遠方検出エリアで人体または物体が検出された時に前記ドア開放信号を出力するとともに前記ドア近傍検出エリアを有効とし、前記ドア遠方検出エリアおよび前記ドア近傍検出エリアの少なくとも一方で人体または物体が検出されている間は前記ドア開放信号を出力している状態を維持する制御手段とを備えることを特徴とする自動ドアセンサ。
【請求項２】
請求項１に記載の自動ドアセンサにおいて、
前記制御手段は、前記ドア近傍検出エリアを有効とした後、前記ドア遠方検出エリアおよび前記ドア近傍検出エリアのいずれでも人体または物体が検出されなくなった後に前記ドア閉鎖信号を出力し、その後で前記ドア近傍検出エリアを無効とすることを特徴とする自動ドアセンサ。
【請求項３】
請求項２に記載の自動ドアセンサにおいて、
前記制御手段は、前記ドア近傍検出エリアを有効とした後、前記ドア遠方検出エリアおよび前記ドア近傍検出エリアのいずれでも人体または物体が検出されなくなった時から第１所定時間が経過するまでに前記ドア遠方検出エリアおよび前記ドア近傍検出エリアのいずれでも人体または物体が検出されない状態が継続した場合は、前記ドア閉鎖信号を出力し、その後で前記ドア近傍検出エリアを無効とすることを特徴とする自動ドアセンサ。
【請求項４】
請求項３に記載の自動ドアセンサにおいて、
前記制御手段は、前記ドア閉鎖信号を出力してから第２所定時間が経過するまでに前記ドア遠方検出エリアおよび前記ドア近傍検出エリアのいずれでも人体または物体が検出されない状態が継続した場合は、前記ドア近傍検出エリアを無効とするとともに、
前記ドア閉鎖信号を出力してから第２所定時間が経過するまでに前記ドア遠方検出エリアおよび前記ドア近傍検出エリアの少なくとも一方で人体または物体が検出された場合は、前記ドア閉鎖信号の出力に代えて前記ドア開放信号を出力することを特徴とする自動ドアセンサ。
【請求項５】
請求項１ないし４のいずれか１項に記載の自動ドアセンサにおいて、
前記制御手段は、前記自動ドアが閉じていると判断される時に前記ドア遠方検出エリアで人体または物体が検出された場合に、前記ドア遠方検出エリアの検出感度を変更することを特徴とする自動ドアセンサ。
【請求項６】
請求項１ないし５のいずれか１項に記載の自動ドアセンサにおいて、
前記ドア開放信号および前記ドア閉鎖信号の出力は、一系統の出力信号の出力状態変化によって行うことを特徴とする自動ドアセンサ。
【請求項７】
請求項１ないし５のいずれか１項に記載の自動ドアセンサにおいて、
前記ドア開放信号の出力停止を前記ドア閉鎖信号の出力とすることを特徴とする自動ドアセンサ。
【請求項８】
自動ドアから離れた人体または物体を検出するドア遠方検出エリアを形成する第１エリアセンサと、前記自動ドア近傍の人体または物体を検出するドア近傍検出エリアを形成する第２エリアセンサとを備え、ドア開放信号およびドア閉鎖信号を出力可能な自動ドアセンサによる自動ドアの開閉制御方法であって、
前記自動ドアが閉じていると判断される時に前記ドア遠方検出エリアのみを有効とする待機時設定ステップと、
前記ドア遠方検出エリアで人体または物体が検出された時に、前記ドア開放信号を出力するドア開放開始ステップと、前記ドア近傍検出エリアを有効とするドア近傍検出エリア有効化ステップと、
前記ドア遠方検出エリアおよび前記ドア近傍検出エリアの少なくとも一方で人体または物体が検出されている間は前記ドア開放信号を出力している状態を維持するドア開放状態維持ステップとを備えることを特徴とする自動ドアの開閉制御方法。
【請求項９】
請求項８に記載の自動ドアの開閉制御方法において、
前記ドア開放信号および前記ドア閉鎖信号の出力は、一系統の出力信号の出力状態変化によって行うことを特徴とする自動ドアの開閉制御方法。
【請求項１０】
請求項８に記載の自動ドアの開閉制御方法において、
前記ドア開放信号の出力停止を前記ドア閉鎖信号の出力とすることを特徴とする自動ドアの開閉制御方法。
【発明の詳細な説明】
【技術分野】
【０００１】
本発明は、本発明は、自動ドアセンサ、および自動ドアの開閉制御方法に関し、特に、建物内部への不法侵入を防止する自動ドアセンサ、および自動ドアの開閉制御方法に関する。
【背景技術】
【０００２】
従来から、高層共同住宅など建物の入口において、自動ドアの屋内外で人体を検知する屋内センサおよび屋外センサを設け、屋外にセキュリティ用入力装置を設けた自動ドア開閉装置が知られている。昼間は屋内外センサによる人体の検知により、自動ドアを開閉して、屋外および屋内からの自由な出入を可能とする。夜間には、屋内センサによる人体の検知により屋内から屋外へ出ることは自由にできるものの、屋外から屋内へ入るのに制限を設けて、居住者など特定の者によるセキュリティ用入力装置への磁気カードの挿入やＩＤコードの入力により、特定の者のみが自動ドアを開けて屋内に入ることができるようにして、不法侵入を防止する。
【０００３】
ところが、入室許可を受けていない部外者が、外部側から自動ドアの下部や周辺の隙間を通して長尺物や紙などを内部に挿入し、内部検知センサをオンさせて自動ドアを開き、内部へ不正入室するおそれのあることがわかった。一般的な自動ドア装置の多くは、ガイド溝がある床面とドアの下框との間などに隙間があり、また、ドア周辺にゴムパッキンを備えるものは、そのゴムパッキンを弾性変形させることによって、隙間を作ることができる。このほか、床面にガイド溝がない特殊なタイプの自動ドア装置では、必然的にドアの下框と床面との間に隙間が生じる。
【０００４】
そのような隙間を利用した不正入室を防止する方法としては、ドア周囲のすきまをなくすか、できるだけ小さくすることによって、物を内部に挿入できないようにすることが考えられる。しかし、それには、自動ドア設置時の工事をより厳密に行うことが必要となり、工事の費用を高くしたり、工事自体を難しくしたりするという難点がある。また、設置済みの自動ドアに後からこのような対策工事などを行うことは容易ではなかった。
【０００５】
他の対策方法としては、自動ドアが閉じているときにドアに近い検知エリアを無効にする「自動ドアの開閉装置および不正入室防止方法」が提案されている（例えば、特許文献１参照。）。この自動ドアの開閉装置は、外部と内部とを仕切り、それ自体が開閉可能なドアと、そのドアを開閉作動するドア開閉手段と、前記ドアを通して外部から内部へ入るとき、入室する人以外の他からの入室許可信号に基づいて前記ドア開閉手段に前記ドアを開く信号を与える入室許可手段と、前記ドアに近接した内部に位置し、内部から外部へ出る人を検知し、前記ドア開閉手段に前記ドアを開く信号を与える内部検知センサとを備え、前記内部検知センサによる検知機能、あるいはその内部検知センサの検知に基づき前記ドア開閉手段に前記ドアを開く信号を与える機能のいずれかを、前記ドアが閉じているときに無効とすることを特徴とするものである。
【０００６】
また、建物内部に複数の光センサを設け、それらの検出信号によって被検出物体が自動ドアに近づいていることが判別できる場合に自動ドアを開く「自動ドアの開閉制御方法」も提案されている（例えば、特許文献２参照。）。この自動ドアの開閉制御方法は、自動ドアの室内側上部位置から床面に光を照射し、その床面での反射光レベルにより物体の有無を検出する複数の光センサと、これら各光センサの物体検出信号に基づいて上記自動ドアの開閉を制御する制御手段とを含み、上記各光センサにより上記自動ドア近傍の室内側床面に上記自動ドアと平行に複数列の監視領域を形成し、上記制御手段は上記各光センサから出力される物体検出信号の時系列が、被検出物体が上記自動ドアに近づく方向の順序である場合に、上記自動ドアに対して開信号を与えることを特徴とするものである。
【０００７】
また、建物内部の自動ドア近傍とドアから離れた位置に検知センサを設け、それらの検出信号によって被検出物体が自動ドアに近づいていることが判別できる場合に自動ドアを開く「自動ドアの開閉装置」も提案されている（例えば、特許文献３参照。）。この自動ドアの開閉装置は、ドアの外部から内部へと入室する人が入室許可であるか否かを判定する入室許可判定手段と、前記ドアに近接した内部に位置し、内部から外部へと退室する人を検知する内部検知センサと、その内部検知センサよりも前記ドアから離れた内部側に位置し、前記ドアへ接近する人を検知する接近検知センサとを備え、前記入室許可判定手段が人の入室を許可したとき、あるいは、前記接近検知センサが前記ドアに接近する人を検知してから所定時間内に前記内部検知センサが人を検知したとき、前記ドアを開くことを特徴とするものである。
【０００８】
また、屋外センサと、屋内センサのドア近傍およびドア遠方エリアの検知状態に基づいて自動ドアの開閉を制御する「自動ドア開閉装置」も提案されている（例えば、特許文献４参照。）。この自動ドア開閉装置は、ドアの屋内と屋外に配置されて物体からの検知波を検知する屋内外のセンサと、前記センサの検知に基づいて、ドアの開閉を制御する開閉制御部とを備え、前記屋内センサは、ドアに近いドア近傍検知エリアと、ドアから離れたドア遠方検知エリアとを有し、前記開閉制御部は、ドア閉時に前記屋外センサが検知状態のときに、屋内センサがそのドア近傍検知エリアで物体を検知したとき、ドア閉を維持する閉維持手段と、ドア閉時に前記屋外センサが検知状態のときに、屋内センサがそのドア遠方検知エリアで物体を検知したとき、ドアを開作動させる開作動手段とを備えていることを特徴とするものである。
【特許文献１】特開平１０−１９６２２１号公報
【特許文献２】特開平１１−３１１０６０号公報
【特許文献３】特開平１１−３２４４８９号公報
【特許文献４】特開２００３−２９３６５４号公報
【発明の開示】
【発明が解決しようとする課題】
【０００９】
しかしながら、上述の特許文献１に記載されているような従来技術では、自動ドアが閉じているかどうかをエンコーダやスイッチなどで検出する必要がある。上述の特許文献３に記載されているような従来技術では、自動ドアの近くと自動ドアから離れたところの２ヶ所に別々の検知センサを設置する必要がある。上述の特許文献４に記載されているような従来技術では、自動ドアが閉じているかどうかをスイッチなどで検出するとともに、屋外側にもセンサを設置する必要がある。
【００１０】
いずれの場合も、自動ドアの開閉を制御する自動ドアセンサ単体で対応できるものではなく、他の場所に専用のスイッチやセンサなどを設置するとともに、それらと自動ドアセンサとを結線する必要もあり、大がかりな工事が伴うことになる。特に、設置済みの自動ドアについては、後からこのような対策工事などを行うことは容易ではなかった。
【００１１】
一方、上述の特許文献２に記載されているような従来技術では、自動ドアの開閉を制御する自動ドアセンサ単体で対応できるようにも思われる。ただし、物体検出信号の時系列を高精度に得るために多数の光センサを設けると、自動ドアセンサのコストがアップしてしまうという問題点がある。そこで、最低限として２つの光センサのみを設け、これらの検出エリアの形成位置を異ならせた事例を検討する。
【００１２】
図５はこのような従来技術による自動ドアセンサが設置されている場合の概略説明図であり、（ａ）は第１検出エリアＡ２１をドア５から離れた位置に向け、第２検出エリアＡ２２をドア５近傍に向けて形成した場合を示し、（ｂ）は第１検出エリアＡ２１をドア５から離れた位置に向け、第２検出エリアＡ２２をそれより少しだけドア５に近い位置に向けて形成した場合を示す。
【００１３】
図５（ａ）に示すように、第２検出エリアＡ２２をドア５近傍に向けて形成すると、ドア５付近に通行人６がいることを第２光センサ２２が検出できる。そのため通行人６が通り抜ける前などに誤ってドア５が閉じられることにより、通行人６がドア５に当たったり、挟まれたりすることを防止できる。ところが、ドア５が実際に開き始めるのは、通行人６が第１検出エリアＡ２１に入ったことを第１光センサ２１が検出した後に、さらに第２検出エリアＡ２２に入ったことを第２光センサ２２が検出してからになる。その時点で通行人６はドア５のすぐ近くまで達しているため、ドア５が完全に開くのが間に合わずにスムーズな通行を妨げてしまう可能性が高い。
【００１４】
これに対して、図５（ｂ）に示すように、第２検出エリアＡ２２をドア５からある程度離して形成すると、ドア５が開き始めてから通行人６がドア５に達するまでの時間には余裕ができる。ところが、ドア５付近に通行人６がいることはもはや検出できないため、通行人６が通り抜ける前などに誤ってドア５が閉じられることにより、通行人６がドア５に当たったり、挟まれたりするおそれがある。ドア５を閉じ始めるタイミングをタイマーなどで遅らせることは考えられるが、そのようなタイマーを不用意に長く設定すると、通行人６が通り過ぎて誰もいなくなったときを見計らって不審者が侵入したり、建物内の空調効果が低下したりするなどの新たな問題が発生し得ることになる。
【００１５】
従来技術のこのような課題に鑑み、本発明の目的は、簡単な構成で自動ドアからの不法侵入を防止するとともに、スムーズな通行および通行人の安全確保を図り、さらに新規の設置工事や既存の自動ドアセンサとの置換作業などが極めて容易で、しかも安価な自動ドアセンサ、および自動ドアの開閉制御方法を提供することである。
【課題を解決するための手段】
【００１６】
上記目的を達成するため、本発明の自動ドアセンサは、自動ドアの開閉を制御するドア開放信号およびドア閉鎖信号を出力可能な自動ドアセンサであって、前記自動ドアから離れた人体または物体を検出するドア遠方検出エリアを形成する第１エリアセンサと、前記自動ドア近傍の人体または物体を検出するドア近傍検出エリアを形成する第２エリアセンサと、前記自動ドアが閉じていると判断される時に前記ドア遠方検出エリアのみを有効とし、前記ドア遠方検出エリアで人体または物体が検出された時に前記ドア開放信号を出力するとともに前記ドア近傍検出エリアを有効とし、前記ドア遠方検出エリアおよび前記ドア近傍検出エリアの少なくとも一方で人体または物体が検出されている間は前記ドア開放信号を出力している状態を維持する制御手段とを備えることを特徴とする。
【００１７】
ここで、ドア開放信号およびドア閉鎖信号としては、自動ドアを開閉するモータなどのドアエンジンを駆動するドアエンジンコントローラに対応した信号とすればよい。例えば、市販の自動ドア用センサと同様に、ドア開放信号のみを出力するとともにこのドア開放信号の出力停止をドア閉鎖信号の出力としてもよい。しかしながら、このような信号に限るものではなく、ドアエンジンコントローラ側の仕様が異なる場合は、それに合わせて一系統の出力信号の他の出力状態変化の組み合わせ（例えば、ＯＮ／ＯＦＦやＨｉｇｈ／Ｌｏｗなど）によってドア開放信号およびドア閉鎖信号の出力を行うようにしてもよい。あるいは、ドア開放信号およびドア閉鎖信号をそれぞれ独立の信号としてもよい。
【００１８】
この発明の自動ドアセンサによれば、自動ドアが閉じている時にはドア遠方検出エリアのみが有効で、ドア近傍検出エリアは無効とされている。そのため、自動ドアの反対側から不正侵入を試みようとする者などによって自動ドアの下部や周辺の隙間から何らかの物を差し込まれた場合でも、ドア近傍検出エリアでその物を検出することはない。これにより、自動ドアが誤って開かれることはなく、不正侵入を防止できる。一方、ドア遠方検出エリアで正規の通行人などが検出されるとその時点で自動ドアが開くので、スムーズに通り抜けることができるだけでなく、ドア遠方検出エリアおよびドア近傍検出エリアの少なくとも一方で通行人などが検出されている間は自動ドアが開いたままなので、通行人の安全も確保できる。また、この自動ドアセンサ以外には、専用のドア開閉状態検出スイッチや他の場所の外部センサも必要としないので、設置工事や既存の自動ドアセンサとの交換も容易である。さらに、エリアセンサはドア近傍とドア遠方の２方向にのみ検出エリアを形成できればよいので、自動ドアセンサを安価に製造することが可能になる。
【００１９】
また、本発明の自動ドアセンサにおいて、前記制御手段は、前記ドア近傍検出エリアを有効とした後、前記ドア遠方検出エリアおよび前記ドア近傍検出エリアのいずれでも人体または物体が検出されなくなった後に前記ドア閉鎖信号を出力し、その後で前記ドア近傍検出エリアを無効とすることを特徴としてもよい。
【００２０】
この発明の自動ドアセンサによれば、自動ドア付近に通行人などがいなくなると、ドア遠方検出エリアおよびドア近傍検出エリアのいずれでも何も検出されなくなるので、自動ドアが自動的に閉じるとともに、その後でドア近傍検出エリアが無効になる。これにより、自動ドアの反対側からの不正侵入を防止できる。
【００２１】
また、本発明の自動ドアセンサにおいて、前記制御手段は、前記ドア近傍検出エリアを有効とした後、前記ドア遠方検出エリアおよび前記ドア近傍検出エリアのいずれでも人体または物体が検出されなくなった時から第１所定時間が経過するまでに前記ドア遠方検出エリアおよび前記ドア近傍検出エリアのいずれでも人体または物体が検出されない状態が継続した場合は、前記ドア閉鎖信号を出力し、その後で前記ドア近傍検出エリアを無効とすることを特徴としてもよい。
【００２２】
この発明の自動ドアセンサによれば、自動ドア付近に通行人などがいなくなり、ドア遠方検出エリアおよびドア近傍検出エリアのいずれでも何も検出されなくなっても、それからさらに第１所定時間が経過するまではドア遠方検出エリアおよびドア近傍検出エリアの監視を続ける。その間に、ドア遠方検出エリアおよびドア近傍検出エリアの少なくとも一方で新たな通行人などが検出された場合には、自動ドアを開いたままに保持する。これにより、自動ドアの無駄な開閉動作を防止するとともに、通行人は自動ドアをスムーズに通り抜けることができる。
【００２３】
また、本発明の自動ドアセンサにおいて、前記制御手段は、前記ドア閉鎖信号を出力してから第２所定時間が経過するまでに前記ドア遠方検出エリアおよび前記ドア近傍検出エリアのいずれでも人体または物体が検出されない状態が継続した場合は、前記ドア近傍検出エリアを無効とするとともに、前記ドア閉鎖信号を出力してから第２所定時間が経過するまでに前記ドア遠方検出エリアおよび前記ドア近傍検出エリアの少なくとも一方で人体または物体が検出された場合は、前記ドア閉鎖信号の出力に代えて前記ドア開放信号を出力することを特徴としてもよい。
【００２４】
この発明の自動ドアセンサによれば、自動ドアを閉じている途中でもドア遠方検出エリアおよびドア近傍検出エリアの監視を続ける。その間に、ドア遠方検出エリアおよびドア近傍検出エリアの少なくとも一方で新たな通行人などが検出された場合には、自動ドアの閉じる動作が直ちに中断され、再び開き始める。これにより、通行人がしばらく途絶えた後で新たな通行人が来た場合でも、通行人の安全が確保できる。
【００２５】
また、本発明の自動ドアセンサにおいて、前記制御手段は、前記自動ドアが閉じていると判断される時に前記ドア遠方検出エリアで人体または物体が検出された場合に、前記ドア遠方検出エリアの検出感度を変更することを特徴としてもよい。
【００２６】
この発明の自動ドアセンサによれば、自動ドアが閉じている時にドア遠方検出エリアで人体または物体が検出された場合に、ドア遠方検出エリアの検出感度が変更される。これにより、後続の通行人などがある場合にはその検出をしやすくする。
【００２７】
あるいは、上記目的を達成するため、本発明の自動ドアの開閉制御方法は、自動ドアから離れた人体または物体を検出するドア遠方検出エリアを形成する第１エリアセンサと、前記自動ドア近傍の人体または物体を検出するドア近傍検出エリアを形成する第２エリアセンサとを備える自動ドアセンサによる自動ドアの開閉制御方法であって、前記自動ドアが閉じていると判断される時に前記ドア遠方検出エリアのみを有効とする待機時設定ステップと、前記ドア遠方検出エリアで人体または物体が検出された時に、前記ドア開放信号を出力するドア開放開始ステップと、前記ドア近傍検出エリアを有効とするドア近傍検出エリア有効化ステップと、前記ドア遠方検出エリアおよび前記ドア近傍検出エリアの少なくとも一方で人体または物体が検出されている間は前記ドア開放信号を出力している状態を維持するドア開放状態維持ステップとを備えることを特徴とする。
【００２８】
この発明の自動ドアの開閉制御方法によれば、自動ドアが閉じている時にはドア遠方検出エリアのみが有効で、ドア近傍検出エリアは無効とされている。そのため、自動ドアの反対側から不正侵入を試みようとする者などによって自動ドアの下部や周辺の隙間から何らかの物を差し込まれた場合でも、ドア近傍検出エリアでその物を検出することはない。これにより、自動ドアが誤って開かれることはなく、不正侵入を防止できる。一方、ドア遠方検出エリアで正規の通行人などが検出されるとその時点で自動ドアが開くので、スムーズに通り抜けることができるだけでなく、ドア遠方検出エリアおよびドア近傍検出エリアの少なくとも一方で通行人などが検出されている間は自動ドアが開いたままなので、通行人の安全も確保できる。
【発明の効果】
【００２９】
本発明の自動ドアセンサによれば、自動ドアが閉じている時にはドア遠方検出エリアのみが有効で、ドア近傍検出エリアは無効とされている。そのため、自動ドアの反対側から不正侵入を試みようとする者などによって自動ドアの下部や周辺の隙間から何らかの物を差し込まれた場合でも、ドア近傍検出エリアでその物を検出することはない。これにより、自動ドアが誤って開かれることはなく、不正侵入を防止できる。一方、ドア遠方検出エリアで正規の通行人などが検出されるとその時点で自動ドアが開くので、スムーズに通り抜けることができるだけでなく、ドア遠方検出エリアおよびドア近傍検出エリアの少なくとも一方で通行人などが検出されている間は自動ドアが開いたままなので、通行人の安全も確保できる。また、この自動ドアセンサ以外には、専用のドア開閉状態検出スイッチや他の場所の外部センサも必要としないので、設置工事や既存の自動ドアセンサとの交換も容易である。さらに、エリアセンサはドア近傍とドア遠方の２方向にのみ検出エリアを形成できればよいので、自動ドアセンサを安価に製造することが可能になる。
【００３０】
また、本発明の自動ドアの開閉制御方法によれば、自動ドアが閉じている時にはドア遠方検出エリアのみが有効で、ドア近傍検出エリアは無効とされている。そのため、自動ドアの反対側から不正侵入を試みようとする者などによって自動ドアの下部や周辺の隙間から何らかの物を差し込まれた場合でも、ドア近傍検出エリアでその物を検出することはない。これにより、自動ドアが誤って開かれることはなく、不正侵入を防止できる。一方、ドア遠方検出エリアで正規の通行人などが検出されるとその時点で自動ドアが開くので、スムーズに通り抜けることができるだけでなく、ドア遠方検出エリアおよびドア近傍検出エリアの少なくとも一方で通行人などが検出されている間は自動ドアが開いたままなので、通行人の安全も確保できる。
【発明を実施するための最良の形態】
【００３１】
以下、本発明の実施形態を、図面を参照して説明する。
【００３２】
図１は、本発明の一実施形態に係る自動ドアセンサ１のブロック図である。図２は、この自動ドアセンサ１が設置されている場合の概略説明図であり、（ａ）は待機状態を示し、（ｂ）は通行人が近づいた状態を示し、（ｃ）は不正侵入などが行われようとしている状態を示している。
【００３３】
図１に示すように、自動ドアセンサ１は、例えばスライド式ドアなどを開閉するモータなどのドアエンジン２を駆動するドアエンジンコントローラ３へドア開放信号を与えることにより、自動ドアの開閉制御を行うものであり、市販の自動ドア用センサなどとの互換性を有している。自動ドアセンサ１は、ドア５から屋内側へ離れている物体を検出する遠方エリアセンサ１１（第１エリアセンサ）と、ドア５の屋内側近傍の物体を検出する近傍エリアセンサ１２（第２エリアセンサ）と、信号処理・制御回路１０（制御手段）とを備えている。
【００３４】
信号処理・制御回路１０は、遠方エリアセンサ１１および近傍エリアセンサ１２のそれぞれを動作させるか非動作とするかの切り換えを制御するとともに、遠方エリアセンサ１１および近傍エリアセンサ１２の検出結果に基づいて、ドアエンジンコントローラ３に対して必要に応じてドアを開くように指令するドア開放信号を出力する。ドアエンジンコントローラ３は、信号処理・制御回路１０から出力されるドア開放信号に応じてドアエンジン２を駆動する。具体的には、信号処理・制御回路１０からドア開放信号が出力されると、ドアが開くようにドアエンジン２を駆動し、信号処理・制御回路１０からドア開放信号が出力されている間は、ドアが開いている状態を維持する。信号処理・制御回路１０からドア開放信号が出力されなくなると、ドアが閉じるようにドアエンジン２を駆動する。遠方エリアセンサ１１および近傍エリアセンサ１２は、例えば、近赤外線を投光し、物体から反射した近赤外線を受光して物体を検出するようなＡＩＲ方式のセンサであり、既存のものが利用できる。
【００３５】
図２（ａ）〜（ｃ）に示すように、自動ドアセンサ１は、ドア５の上端部を支持する無目４の屋内側側面に取り付けられ、ドアエンジン２およびドアエンジンコントローラ３は、無目４の内部に取り付けられている。ドア５と床面７にはわずかな隙間８が存在している。自動ドアセンサ１が備えている遠方エリアセンサ１１によって、ドア５から屋内側へ離れた位置の方向へドア遠方検出エリアＡ１１が形成され、近傍エリアセンサ１２によって、ドア５の屋内側近傍の方向へドア近傍検出エリアＡ１２が形成される。信号処理・制御回路１０が遠方エリアセンサ１１を動作するように切り換えるとドア遠方検出エリアＡ１１が有効化され、遠方エリアセンサ１１が非動作となるように切り換えるとドア遠方検出エリアＡ１１が無効化される。近傍エリアセンサ１２についても同様である。ドア遠方検出エリアＡ１１については、検出感度の切り換えも可能としているが、待機状態では床面７付近の極めて低い物体（通行人ではない可能性が高い）を検出しないような感度設定にしておけば、防犯上はより好ましい。なお、ドア遠方検出エリアＡ１１およびドア近傍検出エリアＡ１２はそれぞれ、公知の技術を用いて、ドア５の全開口幅よりは少し広い範囲にドア５と平行でほぼ等間隔に並ぶ８つの小エリアから構成されている。ただし、このような小エリアの数は８に限るものではない。
【００３６】
ドア５が閉じている待機状態では、図２（ａ）に示すように、信号処理・制御回路１０によって遠方エリアセンサ１１は動作させられ、近傍エリアセンサ１２は非動作とされている。このため、ドア遠方検出エリアＡ１１のみが有効化されており、ドア近傍検出エリアＡ１２は無効化されている。
【００３７】
通行人６が近づいてきて、図２（ｂ）に示すようにドア遠方検出エリアＡ１１に入ると、通行人６が遠方エリアセンサ１１で検出され、信号処理・制御回路１０に伝えられる。信号処理・制御回路１０はこれに応じて近傍エリアセンサ１２を動作させてドア近傍検出エリアＡ１２を有効化するともに、ドアエンジンコントローラ３に対してドア開放信号を出力する。これによってドア５が開き始める。通行人６がいる位置からドア５までにはある程度の距離があり、通行人６がドア５に達するまでにはドア５は完全に開いているので、通行人６はドア５をスムーズに通り抜けることができる。
【００３８】
一方、不正侵入を試みようとする者などによって、図２（ｃ）に示すように、ドア５と床面７との隙間８に紙９などが差し込まれた場合は、近傍エリアセンサ１２は非動作とされているままなので、ドア近傍検出エリアＡ１２は無効であり、紙９などを検出することはない。したがって、ドア５が誤って開かれることはなく、不正侵入を防止できる。
【００３９】
図３は、本発明の一実施形態に係る自動ドアセンサ１が設置されているドア５を通行人６が通り抜ける場合の概略説明図であり、（ａ）は通行人６がドア５に近づきつつある状態を示し、（ｂ）は通行人６がドア５近傍にいる状態を示し、（ｃ）は通行人６がドア５を通り抜けた後の状態を示している。
【００４０】
図２（ｂ）を参照して既に説明したように、通行人６が近づいてきてドア遠方検出エリアＡ１１に入ると、信号処理・制御回路１０によって近傍エリアセンサ１２が動作させられ、ドア近傍検出エリアＡ１２が有効化される。通行人６が少し進んでドア５に近づいても、図３（ａ）に示すように、通行人６はドア遠方検出エリアＡ１１で検出され続けている。通行人６がさらに進むと、図３（ｂ）に示すように、通行人６が近傍エリアセンサ１２で検出されるようになる。したがって、ドア５は開いたままの状態を保持するので、通行人６がドア５に当たったり、挟まれたりすることを防止できる。
【００４１】
なお、遠方エリアセンサ１１および近傍エリアセンサ１２では、通行人６がドア５を通り抜けたこと自体を直接検出することはできない。そこで、遠方エリアセンサ１１および近傍エリアセンサ１２のいずれでも通行人６を検出しなくなったときから、その非検出状態が第１所定時間（ドア５を通り抜けるのに十分な時間で、かつ、必要以上に長すぎないことが望ましい）継続したときに、通行人６はすでにドア５を通り抜けていると判断させることにする。
【００４２】
非検出状態が第１所定時間継続すると、信号処理・制御回路１０はドアエンジンコントローラ３に対するドア開放信号の出力を停止する。これによってドア５が閉じ始める。ドア５が完全に閉じたこと自体は自動ドアセンサ１では直接検出できないので、これについても、ドア５が閉じ始めたときから第２所定時間（ドア５が閉じるための実際の所要時間データに基づいて決定する）経過後にドア５が完全に閉じたものと判断させる。ただし、この間に遠方エリアセンサ１１および近傍エリアセンサ１２のいずれか、あるいは両方で別の通行人６などを検出した場合には、信号処理・制御回路１０はドアエンジンコントローラ３に対して再びドア開放信号を出力する。これによって、ドア５を閉じる動作が直ちに中断されるとともにドア５が再び開き始めるので、通行人６がドア５に当たったり、挟まれたりすることを防止できる。
【００４３】
第２所定時間経過後まで遠方エリアセンサ１１および近傍エリアセンサ１２がともに非検出状態であった場合は、信号処理・制御回路１０は近傍エリアセンサ１２を非動作とする。これによって、図３（ｃ）に示すように、ドア近傍検出エリアＡ１２が無効化されるので、不正侵入を防止する待機状態に戻る。
【００４４】
なお、図３（ａ）の状態から図３（ｂ）の状態に移行する過程において、通行人６が一時的にドア遠方検出エリアＡ１１とドア近傍検出エリアＡ１２のいずれにも入らない場合があり得るが、上述したように、第１所定時間以内であればドア５が閉じ始めることはない。ドア５が閉じ始めた場合でも、ドア５が完全に閉じる前であれば、通行人６がドア近傍検出エリアＡ１２に入ることで、ドア５を閉じる動作が直ちに中断されるとともに再び開き始める。
【００４５】
図４は、本発明の一実施形態に係る自動ドアセンサ１による自動ドアの開閉制御方法のフローチャートである。
【００４６】
図４に示すように、ドア５が閉じている待機状態の設定にするための処理として、ドア遠方検出エリアＡ１１を有効化するために遠方エリアセンサ１１は動作させられ、ドア近傍検出エリアＡ１２を無効化するために近傍エリアセンサ１２は非動作とされる（ステップＳ４０１）。このように、近傍エリアセンサ１２が非動作となるので、消費電力を低減することができる。
【００４７】
待機状態では、ドア遠方検出エリアＡ１１のみで物体（物体には人体も含む。以下も同じ。）の有無が検出される。遠方に物体が存在すればステップＳ４０３に進み、そうでなければこのステップを繰り返す（ステップＳ４０２）。なお、このステップＳ４０２は必ずしも連続的に繰り返す必要はなく、一定時間毎に検出を行うようにしてもよい。これにより、消費電力をさらに低減することができる。
【００４８】
ドア遠方検出エリアＡ１１で物体が検出された場合は、ドア近傍検出エリアＡ１２が有効化されるとともに（ステップＳ４０３）、ドア遠方検出エリアＡ１１の検出感度が変更される（ステップＳ４０４）。これにより、ドアを通り抜けようとしている通行人６などの安全を確保するとともに、後続の通行人６がある場合にはその検出をしやすくする。
【００４９】
次に、ドア５を開くように指令するため、ドアエンジンコントローラ３に対してドア開放信号が出力され（ステップＳ４０５）、これによってドア５が開き始める。
【００５０】
その後は、ドア遠方検出エリアＡ１１およびドア近傍検出エリアＡ１２で、遠方および近傍の物体の有無が検出される。いずれか一方において物体が検出されている限り、これらの処理が繰り返され、そうでなければステップＳ４０８へ進む（ステップＳ４０６、Ｓ４０７）。なお、ステップＳ４０６、Ｓ４０７の処理が繰り返されている間は、ドア５の開放状態が維持されることになる。
【００５１】
ドア遠方検出エリアＡ１１およびドア近傍検出エリアＡ１２のいずれにおいても物体が検出されなくなった場合は、ドア５を閉じる準備段階として第１所定時間のタイマーＴ１をスタートさせる（ステップＳ４０８）。
【００５２】
タイマーＴ１の計時中も、ドア遠方検出エリアＡ１１およびドア近傍検出エリアＡ１２で、遠方および近傍の物体の有無が検出される。いずれか一方において物体が検出されたときは通行人６などが近くにいることを示し、ドア５を閉じるべきではないので、ステップＳ４０６に戻り、そうでなければステップＳ４１１へ進む（ステップＳ４０９、Ｓ４１０）。さらに、タイマーＴ１の残り時間を確認し、まだ終了していなければステップＳ４０９に戻り、すでに終了していればステップＳ４１２へ進む（ステップＳ４１１）。
【００５３】
タイマーＴ１の計時が終了していれば、第１所定時間の経過中に物体が全く検出されなかったことを示すので、通行人６などはいないと判断できる。そこで、ドア５を閉じるように指令するため、ドアエンジンコントローラ３に対するドア開放信号の出力が停止され（ステップＳ４１２）、これによってドア５が閉じ始める。
【００５４】
ドア５が完全に閉じたこと自体は自動ドアセンサ１では直接検出できないので、ドア５が閉じたものと判断できるタイミングを知るために第２所定時間のタイマーＴ２をスタートさせる（ステップＳ４１３）。
【００５５】
タイマーＴ２の計時中も、ドア遠方検出エリアＡ１１およびドア近傍検出エリアＡ１２で、遠方および近傍の物体の有無が検出される。いずれか一方において物体が検出されたときは通行人６などが近くにいることを示し、ドア５を閉じるべきではないので、ステップＳ４０５に戻って再びドア開放信号を出力することにより、ドア５が閉じる動作を中断するとともに、ドア５が再び開き始めるようにする。そうでなければステップＳ４１６へ進む（ステップＳ４１４、Ｓ４１５）。さらに、タイマーＴ２の残り時間を確認し、まだ終了していなければステップＳ４１４に戻り、すでに終了していればステップＳ４１７へ進む（ステップＳ４１６）。
【００５６】
タイマーＴ２の計時が終了していれば、第２所定時間の経過中に物体が全く検出されなかったことを示すので、通行人６などはいないと判断できる。そこで、待機状態に戻すため、ドア近傍検出エリアＡ１２が無効化されるとともに（ステップＳ４１７）、ドア遠方検出エリアＡ１１の検出感度が元に戻される（ステップＳ４１８）。これにより、再び不正侵入を防止できるようになる。
【００５７】
なお、本発明は、その精神または主要な特徴から逸脱することなく、他のいろいろな形で実施することができる。そのため、上述の実施形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【図面の簡単な説明】
【００５８】
【図１】本発明の一実施形態に係る自動ドアセンサのブロック図である。
【図２】本発明の一実施形態に係る自動ドアセンサが設置されている場合の概略説明図であり、（ａ）は待機状態を示し、（ｂ）は通行人が近づいた状態を示し、（ｃ）は不正侵入などが行われようとしている状態を示している。
【図３】本発明の一実施形態に係る自動ドアセンサが設置されているドアを通行人が通り抜ける場合の概略説明図であり、（ａ）は通行人がドアに近づきつつある状態を示し、（ｂ）は通行人がドア近傍にいる状態を示し、（ｃ）は通行人がドアを通り抜けた後の状態を示している。
【図４】本発明の一実施形態に係る自動ドアセンサによる自動ドアの開閉制御方法のフローチャートである。
【図５】従来技術による自動ドアセンサが設置されている場合の概略説明図であり、（ａ）は一方の検出エリアをドアから離れた位置に向け、他方の検出エリアをドア近傍に向けて形成した場合を示し、（ｂ）は一方の検出エリアをドアから離れた位置に向け、他方の検出エリアをそれより少しだけドアに近い位置に向けて形成した場合を示す。
【符号の説明】
【００５９】
１      自動ドアセンサ
２      ドアエンジン
３      ドアエンジンコントローラ
４      無目
５      ドア
６      通行人
７      床面
８      隙間
９      紙
１０    信号処理・制御回路
１１    遠方エリアセンサ
１２    近傍エリアセンサ
２１    第１光センサ（従来技術）
２２    第２光センサ（従来技術）
【図１】
2005232915.tif 000003
【図２】
2005232915.tif 000004
【図３】
2005232915.tif 000005
【図４】
2005232915.tif 000006
【図５】
2005232915.tif 000007